(57)【要約】【課題】  アンチロックブレーキ制御と連動ブレーキ制御とが可能なバーハンドル車両用ブレーキ制御装置の具体的かつ合理的な構成を提供する。【解決手段】  合計８つの装着穴３１〜３４が形成された基体１００と、装着穴３１〜３４に装着されたカット弁となる常開型の電磁弁１ｓ、吸入弁となる常閉型の電磁弁４ｓ、入口弁となる常開型の電磁弁２ｓおよび出口弁となる常閉型の電磁弁３ｓと、ポンプ穴３８に装着されたポンプ６と、モータ２００と、コントロールハウジング３００と、制御装置４００とを備え、基体１００の流路構成部１００Ａ，１００Ｂに、入口ポート２１から始まり、カット弁１ｓが装着された装着穴３１および吸入弁４ｓが装着された装着穴３２に通じる第一流路と、出口ポート２２から始まり、入口弁２ｓが装着された装着穴３３および出口弁３ｓが装着された装着穴３４に通じる第二流路を形成する。【選択図】      図１
2006312359.tif 000002
【特許請求の範囲】
【請求項１】
複数の車輪ブレーキのうちの少なくとも一つを制動するためのブレーキ系統と残りの前記車輪ブレーキを制動するためのブレーキ系統とを備え、前記各車輪ブレーキの独立したアンチロックブレーキ制御および複数の前記車輪ブレーキを連動させる連動ブレーキ制御が可能なバーハンドル車両用ブレーキ制御装置であって、
前記二つのブレーキ系統に対応する二つの流路構成部を有し、当該各流路構成部に四つで一組の装着穴が少なくとも一組形成されている基体と、
前記四つの装着穴に装着されたカット弁となる常開型の電磁弁、吸入弁となる常閉型の電磁弁、入口弁となる常開型の電磁弁および出口弁となる常閉型の電磁弁と、
前記各流路構成部の側面に開口するポンプ穴に装着されたポンプと、
前記基体の後面に組み付けられ、前記ポンプの動力源となるモータと、
前記各電磁弁を覆うように前記基体の前面に組み付けられたコントロールハウジングと、
前記コントロールハウジングに収容され、前記モータおよび前記各電磁弁の作動を制御する制御装置とを備え、
前記基体の前記各流路構成部は、
液圧源からの配管が接続される入口ポートと、
前記入口ポートから始まり、前記カット弁が装着された前記装着穴および前記吸入弁が装着された前記装着穴に通じる第一流路と、
車輪ブレーキに至る配管が接続される出口ポートと、
前記出口ポートから始まり、前記入口弁が装着された前記装着穴および前記出口弁が装着された前記装着穴に通じる第二流路とを有することを特徴とするバーハンドル車両用ブレーキ制御装置。
【請求項２】
前記第一流路および前記第二流路が、互いに平行に配置されていることを特徴とする請求項１に記載のバーハンドル車両用ブレーキ制御装置。
【請求項３】
四つの前記装着穴が、正方形又は長方形の頂点を形成するように配置されていることを特徴とする請求項１又は請求項２に記載のバーハンドル車両用ブレーキ制御装置。
【発明の詳細な説明】
【技術分野】
【０００１】
本発明は、バーハンドル車両用ブレーキ制御装置に関する。
【背景技術】
【０００２】
主として自動二輪車、自動三輪車、オールテレーンビークル（ＡＴＶ）などのバーハンドルタイプの車両（以下、単に「バーハンドル車両」という。）に用いられるブレーキ制御装置の液圧回路として、特許文献１には、各車輪ブレーキに対するアンチロックブレーキ制御に加えて、前輪の車輪ブレーキと後輪の車輪ブレーキとを連動させるブレーキ制御（以下、連動ブレーキ制御）という。）が行えるように構成されたものが開示されている。
【０００３】
この液圧回路は、前後二つの車輪ブレーキのうちの一方（例えば前輪の車輪ブレーキ）を制動するためのブレーキ系統と他方の車輪ブレーキ（例えば後輪の車輪ブレーキ）を制動するためのブレーキ系統とを備えていて、各ブレーキ系統に、車輪ブレーキに作用するブレーキ液圧の大きさを調整するための制御弁手段を設けることによって各車輪ブレーキの独立したアンチロックブレーキ制御を可能とし、さらに、マスタシリンダなどの液圧源から制御弁手段に至る流路を開閉するレギュレータおよび当該レギュレータから制御弁手段に至る流路にブレーキ液を供給するポンプを各ブレーキ系統に設けることによって連動ブレーキ制御を可能としている。
【０００４】
なお、一つのブレーキ系統において、制御弁手段には二個一組の電磁弁（入口弁、出口弁）が設けられており、レギュレータには連動ブレーキ制御を行うときに閉弁する電磁弁（カット弁）が設けられており、さらに、ポンプの吸入側には連動ブレーキ制御を行うときに開弁する電磁弁（吸入弁）が介設されていることから、二つのブレーキ系統を合わせると、８個の電磁弁が使用されていることになる。
【０００５】
【特許文献１】特開２０００−６７７９号公報（図８）
【発明の開示】
【発明が解決しようとする課題】
【０００６】
ところで、特許文献１の液圧回路を具現化して実際のバーハンドル車両用ブレーキ制御装置を構成するためには、ブレーキ液の流路を内包する基体（ポンプボディ）に８本の電磁弁、２つのポンプ、２つのリザーバ、モータ、制御装置などの各種部品を組み付ける必要があるところ、特許文献１には、各部品の基体への取付位置や部品相互の位置関係といった具体的な構成は一切開示されていない。
【０００７】
このような観点から、本発明は、アンチロックブレーキ制御と連動ブレーキ制御とが可能なバーハンドル車両用ブレーキ制御装置の具体的かつ合理的な構成を提供することを課題とする。
【課題を解決するための手段】
【０００８】
このような課題を解決する本発明は、複数の車輪ブレーキのうちの少なくとも一つを制動するためのブレーキ系統と残りの前記車輪ブレーキを制動するためのブレーキ系統とを備え、前記各車輪ブレーキの独立したアンチロックブレーキ制御および複数の前記車輪ブレーキを連動させる連動ブレーキ制御が可能なバーハンドル車両用ブレーキ制御装置であって、前記二つのブレーキ系統に対応する二つの流路構成部を有し、当該各流路構成部の前面に四つで一組の装着穴が少なくとも一組形成されている基体と、前記四つの装着穴に装着されたカット弁となる常開型の電磁弁、吸入弁となる常閉型の電磁弁、入口弁となる常開型の電磁弁および出口弁となる常閉型の電磁弁と、前記各流路構成部の側面に開口するポンプ穴に装着されたポンプと、前記基体の後面に組み付けられ、前記ポンプの動力源となるモータと、前記各電磁弁を覆うように前記基体の前面に組み付けられたコントロールハウジングと、前記コントロールハウジングに収容され、前記モータおよび前記各電磁弁の作動を制御する制御装置とを備え、前記基体の前記各流路構成部は、液圧源からの配管が接続される入口ポートと、前記入口ポートから始まり、前記カット弁が装着された前記装着穴および前記吸入弁が装着された前記装着穴に通じる第一流路と、車輪ブレーキに至る配管が接続される出口ポートと、前記出口ポートから始まり、前記入口弁が装着された前記装着穴および前記出口弁が装着された前記装着穴に通じる第二流路とを有することを特徴とする。
【０００９】
このような具体的な配置をもってバーハンドル車両用ブレーキ制御装置を構成すると、各電磁弁やポンプなどがコンパクトに配置されることとなる。
【００１０】
なお、このバーハンドル車両用ブレーキ制御装置の基体は、一つの流路構成部につき常開型の電磁弁装着用の装着穴と常閉型の電磁弁装着用の装着穴が各２個ずつ、二つの流路構成部を合わせて合計８個の電磁弁装着用の装着穴を備えているが、アンチロックブレーキ制御が行えるように構成された自動四輪車用ブレーキ制御装置の基体も、一つの流路構成部につき常開型の電磁弁装着用の装着穴と常閉型の電磁弁装着用の装着穴が各２個ずつ、合計８個の装着穴を備えているので、バーハンドル車両用ブレーキ制御装置と自動四輪車用ブレーキ制御装置とで基体の共用化を図ることが可能である。つまり、バーハンドル車両用ブレーキ制御装置と自動四輪車用ブレーキ制御装置とで、基体を構成する要素（各装着穴や流路）の大半が同一になるので、基体の製造工程についても、その大半が共通することになり、その結果として、製造コストを削減することが可能となる。
【００１１】
なお、本発明においては、各流路構成部に形成された前記第一流路および前記第二流路が、互いに平行に配置されていることが望ましい。このような位置関係をもって第一流路と第二流路とを配置すると、流路構成部の構成（各装着穴の配置、第一流路および第二流路以外の流路の配置等）をシンプルなものにすることが可能となる。
【００１２】
また、本発明においては、四つの前記装着穴が、正方形又は長方形の頂点を形成するように配置されていることが望ましい。このような位置関係をもって各装着穴を配置すると、流路構成部の構成をより一層シンプルなものにすることが可能となる。
【発明の効果】
【００１３】
本発明に係るバーハンドル車両用ブレーキ制御装置によると、これを構成する各種部品がコンパクトかつ合理的に配置されることとなる。
【００１４】
また、本発明に係るバーハンドル車両用ブレーキ制御装置によれば、その基体を構成する要素（各装着穴や流路）の大半が、搭載される車両の種類や機能が大きく異なる自動四輪車用ブレーキ制御装置の基体を構成する要素と同一になり、その結果、バーハンドル車両用ブレーキ制御装置の基体を製造する工程の大半が、自動四輪車用ブレーキ制御装置と基体を製造する工程と共通し、ひいては、製造コストを削減することが可能となる。
【発明を実施するための最良の形態】
【００１５】
以下、本発明を実施するための最良の形態を、添付した図面を参照しつつ詳細に説明する。
【００１６】
図１に示すように、バーハンドル車両用ブレーキ制御装置Ｕ１（以下、「ブレーキ制御装置Ｕ１」という。）は、自動二輪車、自動三輪車、オールテレーンビークル（ＡＴＶ）などバーハンドルタイプの車両に好適に用いられるものであり、基体（ポンプボディ）１００と、基体１００の後面に組み付けられるモータ２００と、基体１００の前面に組み付けられるコントロールハウジング３００と、コントロールハウジング３００に収容される制御装置４００とを備えて構成されている。
【００１７】
ブレーキ制御装置Ｕ１は、図８に示す液圧回路を具現化したものであり、二つのブレーキ系統Ｋ１，Ｋ２を備えて構成されており、前輪に装着された車輪ブレーキＢ１および後輪に装着された車輪ブレーキＢ２に付与する制動力（ブレーキ液圧）を適宜制御することによって、車輪ブレーキＢ１，Ｂ２の独立したアンチロックブレーキ制御および二つの車輪ブレーキＢ１，Ｂ２を連動させる連動ブレーキ制御が可能になっている。
【００１８】
一方のブレーキ系統Ｋ１は、前輪を制動するためのものであり、入口ポート２１から出口ポート２２に至る系統である。なお、入口ポート２１には、液圧源であるマスタシリンダＭ１に至る配管Ｈ１１が接続され、出口ポート２２には、前輪の車輪ブレーキＢ１に至る配管Ｈ１２が接続される。
【００１９】
他方のブレーキ系統Ｋ２は、後輪を制動するためのものであり、入口ポート２３から出口ポート２４に至る系統である。なお、入口ポート２３には、マスタシリンダＭ１とは別の液圧源であるマスタシリンダＭ２に至る配管Ｈ２１が接続され、出口ポート２４には、後輪の車輪ブレーキＢ２に至る配管Ｈ２２が接続される。
【００２０】
このように、ブレーキ制御装置Ｕ１は、二つのブレーキ系統Ｋ１，Ｋ２から構成されるが、各ブレーキ系統Ｋ１，Ｋ２は同一の構成であるので、以下においては主として前輪側のブレーキ系統Ｋ１について説明し、適宜後輪側のブレーキ系統Ｋ２について説明する。
【００２１】
なお、マスタシリンダＭ１は、ブレーキ液を貯蔵するブレーキ液タンク室が接続された図示しないシリンダを有しており、シリンダ内にはブレーキ操作子であるブレーキレバーＬ１の操作によりシリンダの軸方向へ摺動してブレーキ液を流出する図示しないロッドピストンが組み付けられている。ここで後輪側のマスタシリンダＭ２には、ブレーキ操作子としてブレーキペダルＬ２が接続されている点が異なっている。
【００２２】
前輪のブレーキ系統Ｋ１には、レギュレータＲ、制御弁手段Ｖ、吸入弁４、リザーバ５、ポンプ６、ダンパ７、オリフィス７ａが設けられている。
【００２３】
なお、以下では、入口ポート２１からレギュレータＲに至る流路（油路）を「出力液圧路Ａ」と称し、レギュレータＲから出口ポート２２に至る流路を「車輪液圧路Ｂ」と称する。また、出力液圧路Ａからポンプ６に至る流路を「吸入液圧路Ｃ」と称し、ポンプ６から車輪液圧路Ｂに至る流路を「吐出液圧路Ｄ」と称し、さらに、車輪液圧路Ｂから吸入液圧路Ｃに至る流路を「開放路Ｅ」と称する。また、「上流側」とは、マスタシリンダＭ１（Ｍ２）側のことを意味し、「下流側」とは、車輪ブレーキＢ１（Ｂ２）側のことを意味する。
【００２４】
レギュレータＲは、出力液圧路Ａから車輪液圧路Ｂへのブレーキ液の流入を許容する状態および遮断する状態を切り換える機能と、出力液圧路Ａから車輪液圧路Ｂへのブレーキ液の流入が遮断されているときに車輪液圧路Ｂおよび吐出液圧路Ｄのブレーキ液圧を設定値以下に調節する機能とを有しており、カット弁１、チェック弁１ａおよびリリーフ弁１ｂを備えて構成されている。
【００２５】
カット弁１は、出力液圧路Ａと車輪液圧路Ｂとの間に介設された常開型の電磁弁からなり、開弁状態にあるときに上流側から下流側へのブレーキ液の流入を許容し、閉弁状態にあるときに遮断する。カット弁１を構成する常開型の電磁弁は、その弁体を駆動させるための電磁コイルが制御装置４００と電気的に接続されており、制御装置４００からの指令に基づいて電磁コイルを励磁すると、閉弁して上流側から下流側へのブレーキ液の流入を遮断し、電磁コイルを消磁すると、開弁して上流側から下流側へのブレーキ液の流入を許容する。
【００２６】
チェック弁１ａは、その上流側から下流側へのブレーキ液の流入のみを許容する弁であり、カット弁１に並列に接続されている。
【００２７】
リリーフ弁１ｂは、カット弁１となる常閉型の電磁弁に機能として付加されており、電磁弁を駆動させるための電磁コイルに与える電流値を制御することで開弁圧が制御され、車輪液圧路Ｂのブレーキ液圧から出力液圧路Ａのブレーキ液圧を差し引いたときの値が設定値以上になると開弁する。
【００２８】
制御弁手段Ｖは、車輪液圧路Ｂを開放しつつ開放路Ｅを遮断する状態、車輪液圧路Ｂを遮断しつつ開放路Ｅを開放する状態および車輪液圧路Ｂと開放路Ｅを遮断する状態を切り換える機能を有しており、入口弁２、チェック弁２ａおよび出口弁３を備えて構成されている。
【００２９】
入口弁２は、車輪液圧路Ｂに設けられた常開型の電磁弁からなり、開弁状態にあるときに上流側から下流側へのブレーキ液の流入を許容し、閉弁状態にあるときに遮断する。入口弁２を構成する常開型の電磁弁は、その弁体を駆動させるための電磁コイルが制御装置４００と電気的に接続されており、制御装置４００からの指令に基づいて電磁コイルを励磁すると閉弁し、電磁コイルを消磁すると開弁する。
【００３０】
チェック弁２ａは、その下流側から上流側へのブレーキ液の流入のみを許容する弁であり、各入口弁２と並列に接続されている。
【００３１】
出口弁３は、車輪液圧路Ｂと開放路Ｅとの間に介設された常閉型の電磁弁からなり、閉弁状態にあるときに車輪ブレーキＢ１側からリザーバ５側へのブレーキ液の流入を遮断し、開弁状態にあるときに許容する。出口弁３を構成する常閉型の電磁弁は、その弁体を駆動させるための電磁コイルが制御装置４００と電気的に接続されており、制御装置４００からの指令に基づいて電磁コイルを励磁すると開弁し、電磁コイルを消磁すると閉弁する。
【００３２】
吸入弁４は、吸入液圧路Ｃを開放する状態および遮断する状態を切り換えるものであり、吸入液圧路Ｃに設けられた常閉型の電磁弁からなる。吸入弁４を構成する常閉型の電磁弁は、その弁体を駆動させるための電磁コイルが制御装置４００と電気的に接続されており、制御装置４００からの指令に基づいて電磁コイルを励磁すると開弁し、電磁コイルを消磁すると閉弁する。
【００３３】
なお、吸入液圧路Ｃであって吸入弁４とポンプ６との間には、貯留室４ａが設けられている。この貯留室４ａは、ブレーキ液を一時的に貯留するものであり、これにより、吸入液圧路Ｃに貯留されるブレーキ液の容量が実質的に増大する。
【００３４】
リザーバ５は、開放路Ｅに設けられており、各出口弁３が開放されることによって逃がされるブレーキ液を一時的に貯留する機能を有している。また、リザーバ５とポンプ６との間には、リザーバ５側からポンプ６側へのブレーキ液の流入のみを許容するチェック弁５ａが介設されている。
【００３５】
ポンプ６は、出力液圧路Ａに通じる吸入液圧路Ｃと車輪液圧路Ｂに通じる吐出液圧路Ｄとの間に介設されており、モータ２００の回転力によって駆動し、リザーバ５に一時的に貯留されたブレーキ液を吸入して吐出液圧路Ｄに吐出する。これにより、リザーバ５にブレーキ液を貯留することによって減圧された出力液圧路Ａや車輪液圧路Ｂの圧力状態が回復される。また、カット弁１が閉弁状態にあり、吸入弁４が開弁状態にあるときには、ポンプ６は、マスタシリンダＭ１、出力液圧路Ａ、吸入液圧路Ｃおよび貯留室４ａに貯留されているブレーキ液を吸入して吐出液圧路Ｄに吐出する。これにより、ブレーキレバーＬ１の操作によって発生したブレーキ液圧を増圧することが可能となり、さらには、ブレーキレバーＬ１を操作していない状態でも車輪ブレーキＢ１にブレーキ液圧を作用させることが可能となる。
【００３６】
ダンパ７およびオリフィス７ａは、その協働作用によってポンプ６から吐出されたブレーキ液の脈動を減衰させている。
【００３７】
なお、配管Ｈ１１から分岐した液圧路には、マスタシリンダＭ１におけるブレーキ液圧の大きさを計測する第一の液圧センサ８が設けられている。第一の液圧センサ８で計測されたブレーキ液圧の値は、制御装置４００に随時取り込まれ、第一の液圧センサ８で計測されたブレーキ液圧の大きさに基づいて、連動ブレーキ制御などが行われる。
【００３８】
また、配管Ｈ１２から分岐した液圧路には、車輪ブレーキＢ１に作用するブレーキ液圧の大きさを計測する第二の液圧センサ９が設けられている。第二の液圧センサ９で計測されたブレーキ液圧の値は、制御装置４００に随時取り込まれ、第二の液圧センサ９で計測されたブレーキ液圧の大きさに基づいて、連動ブレーキ制御などが行われる。
【００３９】
モータ２００は、前輪側のブレーキ系統Ｋ１にあるポンプ６および後輪側のブレーキ系統Ｋ２にあるポンプ６の共通の動力源であり、制御装置４００からの指令に基づいて作動する。
【００４０】
制御装置４００は、第一の液圧センサ８、第二の液圧センサ９、図示しない前輪に固着されたパルサーギアの側面に対向して固定配置される前輪用の車輪速度センサ４０１および同じく図示しない後輪に固着されたパルサーギアの側面に対向して固定配置される後輪用の車輪速度センサ４０２からの出力に基づいて、レギュレータＲのカット弁１、制御弁手段Ｖの入口弁２および出口弁３および吸入弁４の開閉、並びに、モータ２００の作動を制御する。
【００４１】
次に、図８の液圧回路を参照しつつ、制御装置４００によって実現される通常のブレーキ制御、連動ブレーキ制御およびアンチロックブレーキ制御について説明する。
【００４２】
（通常のブレーキ制御）
各車輪がロックする可能性のない通常のブレーキ制御時においては、前記した複数の電磁弁を駆動させる複数の電磁コイルは、いずれも制御装置４００によって消磁させられる。つまり、通常のブレーキ制御においては、カット弁１および入口弁２が開弁状態になっており、出口弁３および吸入弁４が閉弁状態になっている。
【００４３】
このような状態のときに運転者がブレーキレバーＬ１を操作すると、その操作力に起因して発生したブレーキ液圧は、出力液圧路Ａ、カット弁１および車輪液圧路Ｂを介してそのまま車輪ブレーキＢ１に伝達され、前輪が制動されることとなる。なお、ブレーキレバーＬ１を緩めると、車輪液圧路Ｂに流入したブレーキ液がカット弁１および出力液圧路Ａを介してマスタシリンダＭ１に戻される。
【００４４】
（連動ブレーキ制御）
連動ブレーキ制御は、運転者がブレーキレバーＬ１およびブレーキペダルＬ２の一方を操作した場合に、その制動力（ブレーキ液圧）の大きさに応じた制動力を他方の車輪ブレーキにも作用させる場合などに実行される。
【００４５】
例えば、運転者が後輪を制動すべくブレーキペダルＬ２を操作したときに、制御装置４００に入力されたブレーキペダルＬ２の操作量や第一の液圧センサ８で計測されたブレーキ液圧の大きさといった各種情報に基づいて、制御装置４００が前輪にも制動力を作用させる必要があると判断した場合には、制御装置４００は、後輪側のブレーキ系統Ｋ２に設けられた第一の液圧センサ８（あるいは第二の液圧センサ９）により計測された圧力値に基づいて、前輪側のブレーキ系統Ｋ１に設けられた第二の液圧センサ９の目標圧力値を設定し、さらに、ブレーキ系統Ｋ１においてカット弁１を励磁して閉弁状態にするとともに吸入弁４を励磁して開弁状態にしたうえで、第二の液圧センサ９で計測される圧力値が目標圧力値に達するまで、モータ２００を作動させてポンプ６を駆動し、吸入液圧路Ｃ側にあるブレーキ液を吐出液圧路Ｄに流入させることで、前輪の車輪ブレーキＢ１に自動的にブレーキ液圧を作用させ、前輪を制動する。
【００４６】
（アンチロックブレーキ制御）
アンチロックブレーキ制御は、車輪がロック状態に陥りそうになったときに実行されるものであり、ロック状態に陥りそうな車輪の車輪ブレーキＢ１，Ｂ２に対応する制御弁手段Ｖを制御して、車輪ブレーキＢ１，Ｂ２に作用するブレーキ液圧を減圧、増圧あるいは一定に保持する状態を適宜選択することによって実現される。なお、減圧、増圧および保持のいずれを選択するかは、前輪用の車輪速度センサ４０１および後輪用の車輪速度センサ４０２から得られた車輪速度に基づいて、制御装置４００によって判断される。
【００４７】
そして、制御装置４００において前輪の車輪ブレーキＢ１に作用するブレーキ液圧を減圧すべきであると判断された場合には、制御弁手段Ｖにより車輪液圧路Ｂが遮断され、開放路Ｅが開放される。具体的には、制御装置４００により入口弁２を励磁して閉弁状態にするとともに、出口弁３を励磁して開弁状態にする。このようにすると、車輪ブレーキＢ１に通じる車輪液圧路Ｂのブレーキ液が開放路Ｅを通ってリザーバ５に流入し、その結果、前輪の車輪ブレーキＢ１に作用していたブレーキ液圧が減圧される。
【００４８】
なお、アンチロックブレーキ制御を実行する場合には、制御装置４００によりモータ２００を駆動させる。モータ２００が駆動すると、これに伴ってポンプ６が作動し、リザーバ５に貯留されたブレーキ液が吐出液圧路Ｄを介して車輪液圧路Ｂに還流される。また、ポンプ６が作動することにより吐出液圧路Ｄ等に発生する脈動は、ダンパ７およびオリフィス７ａの協働作用によって吸収・抑制されるので、ポンプ６を作動させてもブレーキレバーＬ１の操作フィーリングが阻害されることはない。
【００４９】
また、制御装置４００において前輪の車輪ブレーキＢ１に作用するブレーキ液圧を一定に保持すべきであると判断された場合には、制御弁手段Ｖにより車輪液圧路Ｂおよび開放路Ｅがそれぞれ遮断される。具体的には、制御装置４００により入口弁２を励磁して閉弁状態にするとともに、出口弁３を消磁して閉弁状態にする。このようにすると、車輪ブレーキＢ１、入口弁２および出口弁３で閉じられた流路内にブレーキ液が閉じ込められることになり、その結果、車輪ブレーキＢ１に作用しているブレーキ液圧が一定に保持される。
【００５０】
さらに、制御装置４００によって、前輪の車輪ブレーキＢ１に作用するブレーキ液圧を増圧すべきであると判断された場合には、制御弁手段Ｖにより車輪液圧路Ｂが開放され、開放路Ｅが遮断される。具体的には、制御装置４００により入口弁２を消磁して開弁状態にするとともに、出口弁３を消磁して閉弁状態にする。このようにすると、ポンプ６の作動により吐出液圧路Ｄに流出したブレーキ液が入口弁２を通じて車輪液圧路Ｂに作用し、その結果、車輪ブレーキＢ１に作用するブレーキ液圧が増圧される。
【００５１】
なお、車輪液圧路Ｂおよび吐出液圧路Ｄのブレーキ液圧が設定値以上になった場合には、リリーフ弁１ｂの働きにより車輪液圧路Ｂおよび吐出液圧路Ｄ内のブレーキ液が出力液圧路Ａに逃がされ、その結果として、車輪ブレーキＢ１に過剰なブレーキ液圧が作用することが回避される。
【００５２】
また、レギュレータＲが作動することによって吐出液圧路Ｄ等に発生する脈動は、ダンパ７およびオリフィス７ａの協働作用によって吸収され抑制されるので、当該脈動に起因する作動音も小さくなる。
【００５３】
次に、ブレーキ制御装置Ｕ１の具体的な構造を、図１乃至図５を参照して詳細に説明する。
【００５４】
ここで、図２はブレーキ制御装置Ｕ１の分解断面図（図１の点線Ｘにおける断面図）、図３の（ａ）は流路構成部１００Ａを前面からみた透視図、（ｂ）は流路構成部１００Ａを後面からみた透視図、図４は、流路構成部１００Ａに形成された各装着穴および流路の内面を可視化した斜視図であって、（ａ）は前面側からみた斜視図、（ｂ）は後面側からみた斜視図である。また、図５は、流路構成部１００Ａに形成された各装着穴および流路の内面を可視化した斜視図であって、後面側からみた斜視図である。
【００５５】
図１に示すように、ブレーキ制御装置Ｕ１は、基体（ポンプボディ）１００と、モータ２００と、コントロールハウジング３００と、制御装置４００とを備えて構成されている。基体１００を説明する際の「前後」「左右」「上下」は、コントロールハウジング３００側の面を「前面」と仮定し、ポンプ穴３８のある面を側面と仮定した場合の便宜的なものであり、車両に取り付けた状態とは何ら関係はない。
【００５６】
基体１００は、略直方体を呈するアルミニウム合金製の鋳造品からなり、その前面１１の上半部分が実質的に凹凸のない平面に成形されている。基体１００には、二つのブレーキ系統Ｋ１，Ｋ２（図８参照）に対応する二つの流路構成部１００Ａ，１００Ｂが形成されている。具体的には、前面１１側から見て基体１００の右半分（図中に付した点線Ｘよりも右側にある領域）に前輪側のブレーキ系統Ｋ１に対応する流路構成部１００Ａが形成されており、基体１００の左半分（図中に付した点線Ｘよりも左側にある領域）に後輪側のブレーキ系統Ｋ２に対応する流路構成部１００Ｂが形成されている。なお、流路構成部１００Ａ，１００Ｂは、本実施形態では、その内部構成も含めて実質的に左右対称になっているので、以下では、流路構成部１００Ａについて詳細な説明を行うこととする。
【００５７】
流路構成部１００Ａは、図３の（ａ）に示すように、マスタシリンダＭ１からの配管Ｈ１１（図８参照）が接続される入口ポート２１および車輪ブレーキＢ１に至る配管Ｈ１２（図８参照）が接続される出口ポート２２のほか、四つの装着穴３１〜３４、リザーバ穴３７、ポンプ穴３８、ダンパ穴３９およびこれらを連通する流路５１〜５７などを備えている。つまり、基体１００には、四つで一組の装着穴３１〜３４が二組形成されている。
【００５８】
なお、以下の説明においては、流路構成部１００Ａの要素となる四つで一組の装着穴３１〜３４のうち、入口ポート２１の下方にある装着穴３１を「第一外側装着穴３１」と、この第一外側装着穴３１の下方にある装着穴３２を「第二外側装着穴３２」と、出口ポート２２の下方にある装着穴３３を「第一内側装着穴３３」と、この第一内側装着穴３３の下方にある装着穴３４を「第二内側装着穴３４」と称することとする。
【００５９】
入口ポート２１は、流路構成部１００Ａ（基体１００）の上面１５に開口する有底円筒状の穴であり、第一流路５１を介して第一外側装着穴３１および第二外側装着穴３２と連通している。
【００６０】
第一流路５１は、入口ポート２１から始まり、第一外側装着穴３１および第二外側装着穴３２に通じている。第一流路５１は、入口ポート２１の底面から流路構成部１００Ａの下面１６に向かって穿設された縦孔からなり、第一外側装着穴３１の側壁を上下に貫通し、第二外側装着穴３２の内部に達している。
【００６１】
出口ポート２２は、流路構成部１００Ａ（基体１００）の上面１５（図３の（ａ）参照）に開口する有底円筒状の穴であり、第二流路５２を介して第一内側装着穴３３および第二内側装着穴３４と連通している。なお、出口ポート２２は、入口ポート２１と同一の寸法形状に成形されている。
【００６２】
第二流路５２は、出口ポート２２から始まり、第一内側装着穴３３および第二内側装着穴３４に通じている。第二流路５２は、第一流路５１に平行に配置されていて、出口ポート２２の底面から流路構成部１００Ａの下面１６に向かって穿設された縦孔からなり、第一内側装着穴３３の側壁を上下方向に貫通し、第二内側装着穴３４の内部に達している。
【００６３】
第一外側装着穴３１は、カット弁１（図８参照）となる常開型の電磁弁１ｓ（図１参照）が装着される有底の段付き円筒状の穴であり、第一流路５１を介して第二外側装着穴３２と連通しており、第三流路５３を介して第一内側装着穴３３と連通している。第三流路５３は、図４の（ｂ）に示すように、第一外側装着穴３１の底部を左右方向（内外方向）に貫通し、かつ、第一内側装着穴３３の底部に達するように流路構成部１００Ａの側面１４（図３の（ａ）参照）から穿設された横孔５３ａからなる。この横孔５３ａの開口部は、図示せぬ栓部材によって密封される。また、第一外側装着穴３１は、図３の（ｂ）および図４の（ｂ）に示すように、第五流路５５を介してポンプ穴３８の吐出側（側面１４側）と連通している。第五流路５５は、第一外側装着穴３１の底部およびポンプ穴３８の側壁を上下方向に貫通し、かつ、ダンパ穴３９に達するように、流路構成部１００Ａの上面１５から穿設された縦孔５５ａからなる。この縦孔５５ａの開口部は、図示せぬ栓部材によって密封される。なお、第一流路５１の第一外側装着穴３１よりも上流側にある部分が図８に示す出力液圧路Ａに相当し、第五流路５５が図８に示す吐出液圧路Ｄに相当する。
【００６４】
第二外側装着穴３２は、吸入弁４（図８参照）となる常閉型の電磁弁４ｓ（図１参照）が装着される有底の段付き円筒状の穴であり、図３の（ｂ）に示すように、第四流路５４を介してポンプ穴３８の吸入側（軸受穴４３側）と連通している。第四流路５４は、図４の（ｂ）に示すように、第二外側装着穴３２の底部を左右方向（内外方向）に貫通するように流路構成部１００Ａの側面１４（図３の（ａ）参照）から穿設された横孔５４ａと、ポンプ穴３８の吸入側の側壁を上下方向に貫通し、かつ、横孔５４ａの先端部に達するように流路構成部１００Ａの下面１６（図３の（ｂ）参照）から穿設された縦孔５４ｂとからなる。なお、横孔５４ａの先端部は、第二外側装着穴３２と第二内側装着穴３４との間に位置している。また、横孔５４ａおよび縦孔５４ｂの開口部は、図示せぬ栓部材によって密封される。なお、第一外側装着穴３１と第二外側装着穴３２との間にある第一流路５１および第四流路５４が図８に示す吸入液圧路Ｃに相当する。
【００６５】
第一内側装着穴３３は、入口弁２（図８参照）となる常開型の電磁弁２ｓ（図１参照）が装着される有底の段付き円筒状の穴であり、図３の（ａ）に示すように、第二流路５２を介して出口ポート２２および第二内側装着穴３４と連通し、第三流路５３を介して第一外側装着穴３１と連通し、さらに、図３の（ｂ）および図４の（ｂ）に示すように、第五流路５５を介してポンプ穴３８の吐出側（側面１４側）と連通している。なお、第二流路５２および第三流路５３が図８に示す車輪液圧路Ｂに相当する。
【００６６】
第二内側装着穴３４は、出口弁３（図８参照）となる常閉型の電磁弁３ｓ（図１参照）が装着される有底の段付き円筒状の穴であり、図３の（ｂ）および図４の（ｂ）に示すように、その底面から始まる第六流路５６を介してリザーバ穴３７と連通している。第六流路５６は、第二内側装着穴３４の底面から流路構成部１００Ａの後面１２（図２参照）に向かって穿設された横孔５６ａと、この横孔５６ａに達するように流路構成部１００Ａの下面１６から穿設された縦孔５６ｂと、この縦孔５６ｂに達するようにリザーバ穴３７の底面から穿設された横孔５６ｃ（図３の（ａ）参照）とからなる。縦孔５６ｂの開口部は、図示せぬ栓部材によって密封される。なお、第六流路５６が図８に示す開放路Ｅに相当する。
【００６７】
ここで、図１に示すように、第一外側装着穴３１、第二外側装着穴３２、第一内側装着穴３３、第二内側装着穴３４は、流路構成部１００Ａ（基体１００）の前面１１の同一面に開口していて、かつ、第一外側装着穴３１、第二外側装着穴３２、第一内側装着穴３３および第二内側装着穴３４が、正方形又は長方形の頂点を形成するように配置されている。より詳細には、図３の（ａ）に示すように、第一外側装着穴３１の中心と第二外側装着穴３２の中心とを結ぶ線分が流路構成部１００Ａ（基体１００）の側面１４と平行になっており、第一外側装着穴３１の中心と第一内側装着穴３３の中心とを結ぶ線分が流路構成部１００Ａの上面１５と平行になっている。なお、本実施形態においては、第一外側装着穴３１、第二外側装着穴３２、第一内側装着穴３３および第二内側装着穴３４の口径が総て同一になっている。
【００６８】
リザーバ穴３７は、リザーバ５（図８参照）が装着される有底円筒状の穴であり、第二外側装着穴３２の下方に配置されていて、流路構成部１００Ａ（基体１００）の前面１１に開口している。図３の（ｂ）に示すように、リザーバ穴３７は、第七流路５７を介してポンプ穴３８の吸入側と連通している。第七流路５７は、第四流路５４の一部となる縦孔５４ｂに達するようにリザーバ穴３７の底面から穿設された横孔５７ａ（図３の（ａ）参照）と、前記した縦孔５４ｂとからなる。なお、横孔５７ａには、図８に示すチェック弁５ａとなる図示せぬ一方向弁が装着される。
【００６９】
ポンプ穴３８は、ポンプ６（図１、図８参照）が装着される段付き円筒状の穴であり、その中心線が軸受穴４３の中心を通るように形成されていて、流路構成部１００Ａ（基体１００）の側面１４に開口している。なお、ポンプ穴３８は、第五流路５５を介してダンパ穴３９と連通している。
【００７０】
ダンパ穴３９は、ダンパ７（図１参照）となる円筒状の穴であり、リザーバ穴３７と略同じ高さに配置されていて、流路構成部１００Ａ（基体１００）の側面１４に開口している。なお、ダンパ穴３９の開口部は、図１に示す蓋部材１７１によって密封される。
【００７１】
なお、基体１００の中央部分（すなわち、流路構成部１００Ａ，１００Ｂの境界部分）には、図２に示すように、モータ２００の出力軸２１０が挿入される軸受穴４３とモータ２００の端子棒２２０が挿入される端子孔４４とが形成されている。軸受穴４３は、有底の段付き円筒状を呈しており、基体１００の後面１２に開口している。また、軸受穴４３の側壁には、ポンプ穴３８が開口しており、軸受穴４３の底部には、出力軸２１０を回転自在に支持するベアリング４３ａが装着されている。端子孔４４は、軸受穴４３の下方に形成されており、基体１００を前後方向に貫通している。また、端子孔４４の下方には、下面１６に開口する通気穴４１が形成されている。この通気穴４１は、その底部において端子孔４４と連通している。なお、通気穴４１には、空気の出入りを許容しつつ水の出入りを阻止する透湿防水素材（図示せず）が装着される。
【００７２】
次に、前記した各穴に装着される各種部品の構成を、図６および図７を参照して説明する。ここで、図６の（ａ）は常開型の電磁弁１ｓ，２ｓを示す斜視図、（ｂ）は常開型の電磁弁１ｓの断面図、（ｃ）は常閉型の電磁弁３ｓ，４ｓを示す斜視図、（ｄ）は常閉型の電磁弁３ｓの断面図であり、図７はポンプ６の断面図である。
【００７３】
図６の（ａ）に示すように、カット弁１となる常開型の電磁弁１ｓおよび入口弁２となる常開型の電磁弁２ｓは、制御装置４００（図１参照）によって電磁コイル３４０（図２参照）を消磁させたときに、その側面にある開口部１１１ａと底面にある開口部１１１ｂとが連通した状態（開弁状態）になり、制御装置４００によって電磁コイル３４０を励磁させたときに、側面にある開口部１１１ａと底面にある開口部１１１ｂとが遮断された状態（閉弁状態）になって、その内部を通流可能な状態になる。
【００７４】
入口弁２となる常開型の電磁弁２ｓは、図６の（ｂ）に示すように、円筒状の固定コア１１１と、この固定コア１１１の基端側の内部に装着された弁座１１２と、同じく固定コア１１１の先端側の内部に摺動自在に装着された弁体１１３と、この弁体１１３を押圧する可動コア１１４とを主に備えている。なお、固定コア１１１の側面には、第一流路５１を介して供給されるブレーキ液を内部に流入させるための開口部１１１ａとなる貫通孔１１１ｃが形成されている。そして、図２に示す電磁コイル３４０を励磁すると、固定コア１１１に吸引されて可動コア１１４が移動するのに伴って、弁体１１３が弁座１１２側に移動して弁座１１２の開口部１１２ａを閉塞し、その結果、固定コア１１１の側面にある開口部１１１ａと底面にある開口部１１１ｂとが遮断された状態になる。また、電磁コイル３４０を消磁すると、可動コア１１４と固定コア１１１とが離間するのに伴って、弁体１１３が可動コア１１４側に移動して弁座１１２の開口部１１２ａを開放し、その結果、固定コア１１１の側面にある開口部１１１ａと底面にある開口部１１１ｂとが連通する。
【００７５】
また、固定コア１１１の基端部分には、チェック弁２ａ（図８参照）として機能する断面略Ｕ字形状のカップシール１１５が外嵌されている。このカップシール１１５は、第一外側装着穴３１の穴壁に弾発的に接触し、第二流路５２から第三流路５３へのブレーキ液の流入を許容する。
【００７６】
カット弁１となる常開型の電磁弁１ｓについては、その詳細な説明は省略するが、常開型の電磁弁２ｓと同様に、固定コア、弁座、弁体、可動コアなどを備えて構成されている。ここで、電磁弁１ｓは、リリーフ弁１ｂ（図８参照）としても機能し、電磁弁１ｓを第一外側装着穴３１に設置すると、レギュレータＲ（図８参照）が構成される。なお、電磁弁１ｓの開弁圧（リリーフ圧）の制御は、可動コアを駆動させる電磁コイルに与える電流値の大きさを調節することにより実行される。
【００７７】
図６の（ｃ）に示すように、出口弁３となる常閉型の電磁弁３ｓおよび吸入弁４となる常閉型の電磁弁４ｓは、制御装置４００によって電磁コイル３４０（図２参照）を励磁させたときに、その側面にある開口部１３１ａと底面にある開口部１３１ｂとが連通した状態（開弁状態）になって、内部を通流可能な状態になり、制御装置４００によって電磁コイルを消磁させたときに、側面にある開口部１３１ａと底面にある開口部１３１ｂとが遮断された状態（閉弁状態）になる。
【００７８】
出口弁３となる常閉型の電磁弁３ｓは、図６の（ｄ）に示すように、円筒状の弁ハウジング１３１と、この弁ハウジング１３１の基端側の内部に装着される有底円筒状の弁座部材１３２と、弁ハウジング１３１の先端側の内部に固着される固定コア１３３と、弁ハウジング１３１の内部であって弁座部材１３２と固定コア１３３との間に摺動自在に装着される可動コア１３４とを主に備えている。弁ハウジング１３１の側面には、第二流路５２（図３の（ａ）参照）を介して供給されるブレーキ液を内部に流入させるための開口部１３１ａが形成されている。さらに、固定コア１３３と可動コア１３４との間には、可動コア１３４を弁座部材１３２側に付勢する付勢部材１３６が装着されている。したがって、コントロールハウジング３００に装着された電磁コイル３４０（図２参照）が消磁されている状態においては、可動コア１３４によって弁座部材１３２の底部に形成された開口部１３２ａが閉塞され、その結果、弁ハウジング１３１の側面にある開口部１３１ａと底面にある開口部１３１ｂとが遮断された状態になる。そして、電磁コイル３４０（図２参照）を励磁すると、可動コア１３４が固定コア１３３に吸引されて移動して弁座部材１３２と離間し、その結果、弁ハウジング１３１の側面にある開口部１３１ａと底面にある開口部１３１ｂとが連通した状態になる。
【００７９】
なお、吸入弁４となる常閉型の電磁弁４ｓについては、その詳細な説明は省略するが、常閉型の電磁弁３ｓと同様に、弁ハウジング、弁座部材、固定コア、可動コアなどを備えて構成されている。
【００８０】
リザーバ５は、図１に示すように、リザーバ穴３７に装着される略有底円筒状のリザーバピストン１５１と、このリザーバピストン１５１をリザーバ穴３７の底面側（後面側）に付勢するリザーバばね１５２と、リザーバ穴３７の開口部を塞ぐ略有底円筒状のばね受け部材１５３とを備えて構成されている。リザーバピストン１５１は、その外周面がリザーバ穴３７の内周面に沿って摺動自在となっており、第六流路５６（図３の（ｂ）参照）を介してブレーキ液が流入したときに、ばね受け部材１５３側に移動してこのブレーキ液を貯留する。なお、図３の（ｂ）に示す横孔５７ａには、リザーバ穴３７側からポンプ穴３８へのブレーキ液の流入のみを許容するチェック弁５ａ（図８参照）が装着される。
【００８１】
ポンプ６は、ポンプ穴３８に嵌挿されるポンプ本体６Ａと、このポンプ本体６Ａをモータ２００の偏心軸部２１１側に押圧するコイル状の押えばね６Ｂと、ポンプ穴３８の開口を塞ぐ有底円筒状の蓋部材６Ｃとを備えて構成されている。
【００８２】
ポンプ本体６Ａは、図７に示すように、内面が円筒面に成形されたポンプハウジング１６１と、このポンプハウジング１６１の内部に摺動自在に装着され、一端がモータ２００（図１参照）の偏心軸部２１１のボールベアリング２１２に当接する有底円筒状のプランジャ１６２と、このプランジャ１６２の開口部１６２ａに設置される吸入弁体１６３と、ポンプハウジング１６１の開口部１６１ａに設置される吐出弁体１６４と、ポンプハウジング１６１の開口部１６１ａを覆うように配置されたリテーナ１６５と、プランジャ１６２の端面とポンプハウジング１６１の底面との間に圧縮状態で配置され、その復元力によりプランジャ１６２を偏心軸部２１１側に押圧する戻しばね１６６と、戻しばね１６６の内周側に圧縮状態で設けられ、その復元力により吸入弁体１６３をプランジャ１６２の開口部１６２ａ側に付勢する吸入弁ばね１６７と、吐出弁体１６４とリテーナ１６５との間に圧縮状態で設けられ、その復元力により吐出弁体１６４をポンプハウジング１６１側に付勢する吐出弁ばね１６８とを備えて構成されている。そして、ボールベアリング２１２の偏心運動に起因してプランジャ１６２が往復動することによって、ポンプハウジング１６１の側面にある開口部１６１ｂおよびプランジャ１６２の側面にある開口部１６２ｂからブレーキ液が流入し、リテーナ１６５から吐出される。
【００８３】
続いて、基体１００に組み付けられるモータ２００およびコントロールハウジング３００について詳細に説明する。
【００８４】
図１に示すモータ２００は、ポンプ６の動力源となるものであり、基体１００の後面１２（図２参照）に一体的に固着される。図２に示すように、モータ２００の出力軸２１０には、偏心軸部２１１が設けられていて、この偏心軸部２１１には、ボールベアリング２１２が嵌め込まれている。また、出力軸２１０の下方には、ロータに電力を供給するための端子棒２２０が突設されている。端子棒２２０は、基体１００の中央下部に形成された端子孔４４に挿入され、その先端部分がコントロールハウジング３００の接続端子３３１に接続される。
【００８５】
コントロールハウジング３００は、図１に示すように、電磁弁１ｓ〜４ｓを覆うように基体１００の前面１１に一体的に固着されるコントロールケース３１０と、このコントロールケース３１０の開口部を密閉するコントロールカバー３２０とを備えている。なお、コントロールケース３１０には、基体１００の前面１１を覆う取付部３１１と、図示せぬバッテリや車輪速度センサとの接続端子が形成されたコネクタ部３１２とを備えていて、取付部３１１には、無端状のシール部材３１３が装着される。また、図２に示すように、コントロールケース３１０の内部には、バスバー３３０が埋設された支持板部３１４が一体的に形成されている。なお、支持板部３１４には、基体１００に設置された電磁弁１ｓ〜４ｓを駆動させるための電磁コイル３４０が取り付けられている。また、バスバー３３０には、モータ２００の端子棒２２０との接続端子３３１のほか、制御装置４００との接続端子や電磁コイル３４０との接続端子などが突設されている。
【００８６】
なお、コントロールハウジング３００の内部は、通気穴４１と端子孔４４とを介して外部と連通することになるので、コントロールハウジング３００の内部の圧力は大気圧と同程度に保たれている。つまり、コントロールハウジング３００に内外の圧力差に起因する変形が生じ難くなり、その結果、基体１００との密着性も良好に保たれる。ここで、通気穴４１には、図示せぬ透湿防水素材が装着されるので、コントロールハウジング３００内に水等が浸入することはない。
【００８７】
図１に示す制御装置４００は、電子回路がプリントされた基板に半導体チップ等が搭載されてなるものであり、第一の液圧センサ８および第二の液圧センサ９や車輪速度センサ４０１，４０２（図８参照）といった各種センサから得られた情報やあらかじめ記憶させておいたプログラム等に基づいて、電磁弁１ｓ〜４ｓの開閉やモータ２００の作動を制御する。
【００８８】
続いて、通常のブレーキ制御、連動ブレーキ制御およびアンチロックブレーキ制御を行った場合のブレーキ液の実際の流れを詳細に説明する。
【００８９】
（通常のブレーキ制御）
通常のブレーキ制御においては、前記したように、カット弁１となる常開型の電磁弁１ｓ（図６の（ａ）参照）が開弁状態にあるので、図４の（ａ）の実線の矢印で示すように、入口ポート２１から流入したブレーキ液は、第一流路５１を通って第一外側装着穴３１の側部に流入し、開弁状態にある電磁弁１ｓ（図６の（ａ）参照）の内部を通って第三流路５３に流入する。第三流路５３に流入したブレーキ液は、図４の（ｂ）の実線の矢印で示すように、第一内側装着穴３３の底部に流入し、さらに、開弁状態にある電磁弁２ｓの内部を通って第二流路５２に流入し、出口ポート２２を通って車輪ブレーキＢ１に至る。つまり、通常のブレーキ制御においては、運転者がブレーキレバーＬ１を操作することによってマスタシリンダＭ１で発生したブレーキ液圧は、入口ポート２１、第一流路５１、第一外側装着穴３１、第三流路５３、第一内側装着穴３３、第二流路５２および出口ポート２２を介して車輪ブレーキＢ１に作用することとなる。
【００９０】
（連動ブレーキ制御）
連動ブレーキ制御においては、図８を参照して説明したように、制御装置４００によってカット弁１となる常開型の電磁弁１ｓが閉弁状態にされ、吸入弁４となる常閉型の電磁弁４ｓが開弁状態にされたうえで、モータ２００が作動してポンプ６が駆動する。ポンプ６（図７参照）が駆動すると、図５の点線の矢印で示すように、プランジャ１６２（図７参照）の往復動によってポンプ穴３８の内部にあるブレーキ液が第五流路５５へ吐出される。なお、ポンプ６のプランジャ１６２（図７参照）の往復動に伴ってその内部が負圧になると、吸入弁４（電磁弁４ｓ）が開弁状態にあるので、その第一流路５１側にあるブレーキ液（マスタシリンダＭ１にあるブレーキ液を含む）が、第二外側装着穴３２を通って（すなわち、電磁弁４ｓの内部を通って）ポンプ穴３８に流入する。第五流路５５へ吐出されたブレーキ液は、第三流路５３を通って第一内側装着穴３３に流入し、さらに、開弁状態にある電磁弁２ｓ（図６の（ａ）参照）の内部を通って第二流路５２に流入し、出口ポート２２を通って車輪ブレーキＢ１に至る。つまり、連動ブレーキ制御においては、ポンプ６によってブレーキ液を車輪ブレーキＢ１側に供給することでブレーキ液圧が発生し、発生したブレーキ液圧は、第五流路５５、第三流路５３、第一内側装着穴３３、第二流路５２および出口ポート２２を介して車輪ブレーキＢ１に作用することとなる。
【００９１】
（アンチロックブレーキ制御）
アンチロックブレーキ制御によって車輪ブレーキＢ１に作用するブレーキ液圧を減圧する場合には、前記したように、制御装置４００によって入口弁２が閉弁状態にされ、出口弁３が開弁状態にされる（図８参照）。そうすると、車輪ブレーキＢ１に作用していたブレーキ液は、図４の（ｂ）の点線の矢印で示すように、出口ポート２２および第二流路５２を通って第二内側装着穴３４の側部に流入し、さらに、開弁状態にある電磁弁３ｓ（図６の（ｃ）参照）の内部を通って第六流路５６に流入し、リザーバ穴３７に流入する。なお、第一内側装着穴３３に流入したブレーキ液は、電磁弁２ｓ（図６の（ａ）参照）が閉弁状態にあることから、第三流路５３に流入することはなく、第一内側装着穴３３の側壁と電磁弁２ｓの外周面との間にある空間を通って第二内側装着穴３４側へ流出する。なお、アンチロックブレーキ制御を実行する場合には、制御装置４００によってモータ２００（図１参照）が作動されてポンプ６（図７参照）が駆動され、その結果、リザーバ穴３７に貯留されていたブレーキ液が第七流路５７を介してポンプ穴３８に吸入され、第五流路５５へ吐出される。
【００９２】
また、アンチロックブレーキ制御によって車輪ブレーキＢ１に作用するブレーキ液圧を一定に保持する場合には、前記したように、制御装置４００によって入口弁２および出口弁３が閉弁状態にされるので（図８参照）、第二流路５２へのブレーキ液の流入も第二流路５２からのブレーキ液の流出も起こらない。
【００９３】
また、アンチロックブレーキ制御によって車輪ブレーキＢ１に作用するブレーキ液圧を増圧する場合には、前記したように、制御装置４００によって入口弁２が開弁状態にされ、出口弁３が閉弁状態にされるので、ブレーキ液の流れは、図４の（ｂ）の実線の矢印の経路と同じになる。
【００９４】
以上のような具体的な配置をもってブレーキ制御装置Ｕ１を構成すると、各電磁弁１ｓ〜４ｓやポンプ６などがコンパクトに配置されることとなる。
【００９５】
また、このブレーキ制御装置Ｕ１においては、図３の（ａ）に示すように、流路構成部１００Ａ（１００Ｂ）に形成された第一流路５１および第二流路５２が、互いに平行に配置されているので、流路構成部１００Ａ（１００Ｂ）の構成（各装着穴３１〜３４）の配置、流路５１〜５７の配置等）をシンプルなものにすることが可能となる。
【００９６】
さらに、このブレーキ制御装置Ｕ１においては、第一外側装着穴３１、第二外側装着穴３２、第一内側装着穴３３および第二内側装着穴３４が、正方形又は長方形の頂点を形成するように配置されていることから、流路構成部１００Ａ（１００Ｂ）の構成がより一層シンプルなものになっている。
【００９７】
なお、図１に示すブレーキ制御装置Ｕ１の基体１００は、二つの流路構成部１００Ａ，１００Ｂを合わせて合計８つの電磁弁装着用の装着穴（第一外側装着穴３１、第二外側装着穴３２、第一内側装着穴３３、第二内側装着穴３４）を備えているが、図９に示すように、アンチロックブレーキ制御が行えるように構成された自動四輪車用ブレーキ制御装置Ｕ２の基体１００’も、合計８個の装着穴を備えているので、自動四輪車用ブレーキ制御装置Ｕ２の基体１００’をバーハンドル車両用ブレーキ制御装置Ｕ１の基体１００に流用することが可能である。
【００９８】
ここで、アンチロックブレーキ制御が可能な自動四輪車用ブレーキ制御装置（以下、「ブレーキ制御装置」ということがある。）Ｕ２について、簡単に説明する。
【００９９】
ブレーキ制御装置Ｕ２は、図９に示すように、基体（ポンプボディ）１００’と、基体１００’の後面に組み付けられるモータ２００と、基体１００’の前面に組み付けられるコントロールハウジング３００と、コントロールハウジング３００に収容される制御装置４００とを備えて構成されている。
【０１００】
ブレーキ制御装置Ｕ２は、図１３に示す液圧回路を具現化したものであり、四つの車輪ブレーキＲＬ，ＦＲ，ＦＬ，ＲＲのうちの二つの車輪ブレーキＲＬ，ＦＲを制動するためのブレーキ系統Ｋ１’および残り二つの車輪ブレーキＦＬ，ＲＲを制動するためのブレーキ系統Ｋ２’を備えていて、車輪ブレーキＲＬ，ＦＲ，ＦＬ，ＲＲごとに（すなわち、一つのブレーキ系統につき二つ）設けられた制御弁手段Ｖによって各車輪の独立したアンチロックブレーキ制御が可能となっている。
【０１０１】
ブレーキ系統Ｋ１’は、左後および右前の車輪を制動するためのものであり、液圧源であるマスタシリンダＭの出力ポートＭ１１に至る配管Ｈ１１が接続される入口ポート２１’から車輪ブレーキＲＬ，ＦＲに至る配管Ｈ１２，Ｈ１２が接続される出口ポート２２’，２２’に至る系統である。
【０１０２】
ブレーキ系統Ｋ２’は、右後および左前の車輪を制動するためのものであり、マスタシリンダＭの出力ポートＭ１２に至る配管Ｈ２１が接続される入口ポート２３’から車輪ブレーキＦＬ，ＲＲに至る配管Ｈ２２，Ｈ２２が接続される出口ポート２４’，２４’に至る系統である。なお、ブレーキ系統Ｋ１’，Ｋ２’は、実質的に同一の構成であるので、以下においては主としてブレーキ系統Ｋ１’について説明し、適宜ブレーキ系統Ｋ２’について説明する。
【０１０３】
なお、ブレーキ制御装置Ｕ２は、ブレーキ操作子であるブレーキペダルＬ３およびマスタシリンダＭが一つである点（すなわち、一つのブレーキペダルＬ３に踏力を加えるだけで、四つの車輪ブレーキＲＬ，ＦＲ，ＦＬ，ＲＲを制動することができる点）、入口ポート２１に接続される配管Ｈ１１，Ｈ２１がそれぞれマスタシリンダＭの出力ポートＭ１１，Ｍ１２に接続されている点、ブレーキ系統Ｋ１’，Ｋ２’にそれぞれ二つの制御弁手段Ｖ，Ｖが設けられている点、図８に示すレギュレータＲおよび吸入弁４を含む吸入液圧路Ｃがない点で前記したバーハンドル車両用ブレーキ制御装置Ｕ１と相違するが、制御弁手段Ｖ、リザーバ５、ポンプ６、ダンパ７、オリフィス７ａの構成は、前記したブレーキ制御装置Ｕ１のものと同様であるので、その説明は省略する。
【０１０４】
また、図９に示すモータ２００、コントロールハウジング３００および制御装置４００の構成も、前記したバーハンドル車両用ブレーキ制御装置Ｕ１のものと同様であるので、その詳細な説明を省略する。
【０１０５】
基体１００’も、二つのブレーキ系統Ｋ１’，Ｋ２’（図１３参照）に対応する二つの流路構成部１００Ｃ，１００Ｄを備えているが、その構成は、前記したブレーキ制御装置Ｕ１の流路構成部１００Ａ，１００Ｂ（図１参照）と一致する点が多い。
【０１０６】
例えば、図１０の（ａ）に示すブレーキ制御装置Ｕ１の流路構成部１００Ａと、図１０の（ｂ）に示すブレーキ制御装置Ｕ２の流路構成部１００Ｃとを対比すると、流路構成部１００Ｃ（１００Ｄ）の前面に形成された第一外側装着穴３１、第二外側装着穴３２、第一内側装着穴３３および第二内側装着穴３４の配置や口径をはじめ、リザーバ穴３７、ポンプ穴３８、ダンパ穴３９の配置や口径が、前記したブレーキ制御装置Ｕ１の流路構成部１００Ａ（１００Ｂ）のものと全く同じであることが分かる。なお、図９に示すように、第一外側装着穴３１および第一内側装着穴３３には、それぞれ、入口弁２（図１３参照）となる常開型の電磁弁２ｓが装着され、第二外側装着穴３２および第二内側装着穴３４には、それぞれ、出口弁３（図１３参照）となる常閉型の電磁弁３ｓが装着される。
【０１０７】
また、図１０の（ａ）に示すブレーキ制御装置Ｕ１の入口ポート２１は、図１０（ｂ）に示すブレーキ制御装置Ｕ２では、出口ポート２２’になっているが、その位置に変わりはない。
【０１０８】
なお、図１２の（ａ）に示すように、ブレーキ制御装置Ｕ２の入口ポート２１’は、第一外側装着穴３１の後方に設けられている。入口ポート２１’は、後面に開口する有底円筒状の穴であり、その底面から始まる第八流路５８を介して第五流路５５に接続されている。
【０１０９】
流路構成部１００Ｃ（１００Ｄ）の内部に形成された流路の構成も、前記したバーハンドル車両用ブレーキ制御装置Ｕ１の流路構成部１００Ａ（１００Ｂ）のものと一致する点が多い。
【０１１０】
例えば、図１０の（ａ）および図１１の（ａ）に示すブレーキ制御装置Ｕ１の流路構成部１００Ａと、図１０の（ｂ）および図１１の（ｂ）に示すブレーキ制御装置Ｕ２の流路構成部１００Ｃとを対比すると、第一流路５１、第二流路５２、第三流路５３、第四流路５４を構成する縦孔５４ｂ、第五流路５５、第七流路５７の配置や口径が、ブレーキ制御装置Ｕ１とブレーキ制御装置Ｕ２とで全く同じあることが分かる。ブレーキ制御装置Ｕ１とブレーキ制御装置Ｕ２とで異なるのは、ブレーキ制御装置Ｕ２において第四流路５４を構成する横孔５４ａが第二内側装着穴３４に達していること（図１１の（ａ）参照）、ブレーキ制御装置Ｕ１にある第六流路５６（横孔５６ａ、縦孔５６ｂ、横孔５６ｃ；図１１の（ａ）参照）が、ブレーキ制御装置Ｕ２では削除されていることである。
【０１１１】
このように、本実施形態に係るバーハンドル車両用ブレーキ制御装置Ｕ１によれば、その基体１００を構成する要素（各装着穴や流路）の大半が、搭載される車両の種類や機能が大きく異なる自動四輪車用ブレーキ制御装置Ｕ２の基体１００’を構成する要素と同一になる。
【０１１２】
すなわち、バーハンドル車両用ブレーキ制御装置Ｕ１の基体１００を製造する工程と、自動四輪車用ブレーキ制御装置Ｕ２と基体１００’を製造する工程とは、その大半が共通することになるので、製造コストを削減することが可能となる。
【０１１３】
なお、参考までに、ブレーキ制御装置Ｕ２において、通常のブレーキ制御およびアンチロックブレーキ制御を行った場合のブレーキ液の実際の流れを説明する。
【０１１４】
（通常のブレーキ制御）
通常のブレーキ制御においては、図１２の（ａ）に示すように、入口ポート２１’から流入したブレーキ液は、第八流路５８、第五流路５５を介して第一外側装着穴３１に流入し、第三流路５３を介して第一内側装着穴３３に流入する。第一外側装着穴３１および第一内側装着穴３３に流入したブレーキ液は、開弁状態にある電磁弁２ｓ（図９参照）の内部を通って第一流路５１又は第二流路５２に流入し、出口ポート２２’，２２’を通って車輪ブレーキＲＬ，ＦＲに至る。
【０１１５】
（アンチロックブレーキ制御）
アンチロックブレーキ制御によって例えば車輪ブレーキＲＬに作用するブレーキ液圧を減圧する場合には、制御装置４００（図９参照）によって車輪ブレーキＲＬに対応する入口弁２が閉弁状態にされ、出口弁３が開弁状態にされる。そうすると、車輪ブレーキＲＬに作用していたブレーキ液は、出口ポート２２’および第二流路５２を通って第二内側装着穴３４の側部に流入し、さらに、開弁状態にある電磁弁３ｓ（図９参照）の内部を通って第四流路５４に流入し、ポンプ穴３８に流入する。なお、第一内側装着穴３３に流入したブレーキ液は、電磁弁２ｓが閉弁状態にあることから、第三流路５３に流入することはなく、第一内側装着穴３３の側壁と電磁弁２ｓ（図９参照）の外周面との間にある空間を通って第二内側装着穴３４側へ流出する。なお、アンチロックブレーキ制御を実行する場合には、制御装置４００によってモータ２００が駆動されてポンプ６が作動され、ポンプ穴３８にあるブレーキ液が第五流路５５へ吐出される。なお、ポンプ穴３８に流入したブレーキ液は、第七流路５７（図１１の（ｂ）参照）を通ってリザーバ穴３７にも流入する。リザーバ穴３７に貯留されたブレーキ液は、ポンプ６によって第五流路５５に吐出される。
【０１１６】
また、アンチロックブレーキ制御によって車輪ブレーキＲＬに作用するブレーキ液圧を一定に保持する場合には、制御装置４００によって入口弁２および出口弁３が閉弁状態にされるので（図１３参照）、第二流路５２へのブレーキ液の流入も第二流路５２からのブレーキ液の流出も起こらない。
【０１１７】
また、アンチロックブレーキ制御によって車輪ブレーキＲＬに作用するブレーキ液圧を増圧する場合には、制御装置４００によって入口弁２が開弁状態にされ、出口弁３が閉弁状態にされるので、ブレーキ液の流れは、通常のブレーキ制御の場合と同じになる。
【０１１８】
（バーハンドル車両用ブレーキ制御装置の変形例）
前記した実施形態に係るブレーキ制御装置Ｕ１においては、図３の（ａ）に示すように、第一外側装着穴３１、第二外側装着穴３２、第一内側装着穴３３および第二内側装着穴３４が、正方形又は長方形の頂点を形成するように配置されているが、これらを上下方向あるいは左右方向にずらして配置してもよい。
【０１１９】
また、前記した実施形態に係るブレーキ制御装置Ｕ１においては、第一流路５１および第二流路５２が互いに平行になるように配置されていたが、平行でなくともよい。
【０１２０】
また、前記した実施形態に係るブレーキ制御装置Ｕ１においては、図１に示すように、上下二段に配置された装着穴３１〜３４のうち、上段にある装着穴３１，３３（第一外側装着穴３１、第一内側装着穴３３）に常開型の電磁弁１ｓ，２ｓ（すなわち、カット弁１、入口弁２）を装着し、下段にある装着穴３２，３４に常閉型の電磁弁３ｓ，４ｓ（出口弁３、吸入弁４）を配置したが、これに限定されることはなく、図示は省略するが、上段にある装着穴３１，３３に常閉型の電磁弁３ｓ，４ｓ（出口弁３、吸入弁４）を装着し、下段にある装着穴３２，３４に常開型の電磁弁１ｓ，２ｓ（カット弁１、入口弁２）を配置してもよい。
【０１２１】
具体的には、例えば、第一外側装着穴３１に吸入弁４となる常閉型の電磁弁４ｓを、第二外側装着穴３２にカット弁１となる常開型の電磁弁１ｓを、第一内側装着穴３３に出口弁３となる常閉型の電磁弁３ｓを、第二内側装着穴３４に入口弁２となる常開型の電磁弁２ｓをそれぞれ装着してもよく、この場合には、図１４の（ａ）および（ｂ）に示すように、第一外側装着穴３１を、第五流路５５’を介してポンプ穴３８の吸入側およびダンパ穴３９と連通させるとともに、第七流路５７’を介してポンプ穴３８の吐出側と連通させ、第二外側装着穴３２を、第四流路５４’を介して第二内側装着穴３４と連通させ、さらに、第一内側装着穴３３を、第六流路５６’を介してリザーバ穴３７と連通させればよい。
【０１２２】
また、前記した実施形態に係るブレーキ制御装置Ｕ１においては、図３の（ａ）に示すように、流路構成部１００Ａ（１００Ｂ）の外側に入口ポート２１および第一流路５１が配置され、内側に出口ポート２２および第二流路５２が配置されていたが、これに限定されることはなく、図示は省略するが、流路構成部１００Ａ（１００Ｂ）の内側に入口ポート２１および第一流路５１が配置され、外側に出口ポート２２および第二流路５２が配置されているものであってもよい。この場合には、流路構成部１００Ａ（１００Ｂ）の内部の流路の配置を適宜変更したうえで、第一外側装着穴３１に入口弁２となる常開型の電磁弁２ｓを、第二外側装着穴３２に出口弁３となる常閉型の電磁弁３ｓを、第一内側装着穴３３にカット弁１となる常閉型の電磁弁１ｓを、第二内側装着穴３４に吸入弁４となる常開型の電磁弁４ｓをそれぞれ配置すればよい。
【図面の簡単な説明】
【０１２３】
【図１】本発明の実施形態に係るバーハンドル車両用ブレーキ制御装置の分解斜視図である。
【図２】本発明の実施形態に係るバーハンドル車両用ブレーキ制御装置の分解断面図である。
【図３】本発明の実施形態に係るバーハンドル車両用ブレーキ制御装置の流路構成部の透視図であって、（ａ）は前面からみた透視図、（ｂ）は後面からみた透視図である。
【図４】本発明の実施形態に係るバーハンドル車両用ブレーキ制御装置の流路構成部に形成された各装着穴および流路の内面を可視化した斜視図であって、（ａ）は前面側からみた斜視図、（ｂ）は後面側からみた斜視図である。
【図５】本発明の実施形態に係るバーハンドル車両用ブレーキ制御装置のブレーキ液の流れを説明するために流路構成部に形成された各装着穴および流路の内面を可視化した斜視図であって、後面側からみた斜視図である。
【図６】（ａ）は常開型の電磁弁の斜視図、（ｂ）は常開型の電磁弁の断面図、（ｃ）は常閉型の電磁弁の斜視図、（ｄ）は常閉型の電磁弁の断面図である。
【図７】ポンプの断面図である。
【図８】本発明の実施形態に係るバーハンドル車両用ブレーキ制御装置の液圧回路図である。
【図９】自動四輪車用ブレーキ制御装置の分解斜視図である。
【図１０】（ａ）は本発明の実施形態に係るバーハンドル車両用ブレーキ制御装置の流路構成部を前面からみた透視図、（ｂ）は自動四輪車用ブレーキ制御装置の流路構成部を前面からみた透視図である。
【図１１】（ａ）は本発明の実施形態に係るバーハンドル車両用ブレーキ制御装置の流路構成部を後面からみた透視図、（ｂ）は自動四輪車用ブレーキ制御装置の流路構成部を後面からみた透視図である。
【図１２】自動四輪車用ブレーキ制御装置の流路構成部に形成された各装着穴および流路の内面を可視化した斜視図であって、（ａ）は前面側からみた斜視図、（ｂ）は後面側からみた斜視図である。
【図１３】自動四輪車用ブレーキ制御装置の液圧回路図である。
【図１４】本発明の実施形態に係るバーハンドル車両用ブレーキ制御装置の変形例を示す図であっての透視図であって、（ａ）は流路構成部を前面からみた透視図、（ｂ）は流路構成部を後面からみた透視図である。
【符号の説明】
【０１２４】
Ｕ１      バーハンドル車両用ブレーキ制御装置
１        カット弁
２        入口弁
３        出口弁
４        吸入弁
１ｓ，２ｓ  常開型の電磁弁
３ｓ，４ｓ  常閉型の電磁弁
５        リザーバ
６        ポンプ
７        ダンパ
８        第一の液圧センサ
９        第二の液圧センサ
２１      入口ポート
２２      出口ポート
３１〜３４  装着穴
５１      第一流路
５２      第二流路
１００    基体
１００Ａ，１００Ｂ  流路構成部
２００    モータ
３００    コントロールハウジング
４００    制御装置
【図１】
2006312359.tif 000003
【図２】
2006312359.tif 000004
【図３】
2006312359.tif 000005
【図４】
2006312359.tif 000006
【図５】
2006312359.tif 000007
【図６】
2006312359.tif 000008
【図７】
2006312359.tif 000009
【図８】
2006312359.tif 000010
【図９】
2006312359.tif 000011
【図１０】
2006312359.tif 000012
【図１１】
2006312359.tif 000013
【図１２】
2006312359.tif 000014
【図１３】
2006312359.tif 000015
【図１４】
2006312359.tif 000016